(57)【要約】      （修正有）【課題】粉末健康飲料等の適量を量り、適正濃度、好みの味の飲料を得る飲料用容器を提供する。【解決手段】蓋の内側に下方に開口した円筒状計量器２を備えた広口の蓋１と広口の円筒状本体容器６とからなる飲料用容器であって、適正濃度、好みの味の飲料を得ることができる。本体容器の蓋の外側に上下に開口し広口の蓋を貫通し蓋上部の開口部に蓋を有する円筒状飲み口４、あるいは、広口の蓋を貫通し片方の端が本体容器の底に届き、他方の片方の端が蓋の上部に係止する中空チューブである、ストロー状飲み口を有する飲料用容器である。【選択図】図２
0003235149.tif 000002
【実用新案登録請求の範囲】
【請求項１】
蓋の内側に下方に開口した円筒状計量器を備えた広口の蓋と広口の円筒状本体容器とからなることを特徴とする飲料用容器
【請求項２】
蓋の内側に下方に開口した円筒状計量器を備えた広口の蓋と広口の円筒状本体容器とからなる飲料用容器において、上下に開口し広口の蓋を貫通し蓋上部の開口部に蓋を有する円筒状飲み口を本体容器の蓋の外側に備えたことを特徴とする飲料用容器
【請求項３】
蓋の内側に下方に開口した円筒状計量器を備えた広口の蓋と広口の円筒状本体容器とからなる飲料用容器において、広口の蓋を貫通し片方の端が本体容器の底に届き、他方の片方の端が蓋の上部に係止する中空チューブである飲み口を備えたことを特徴とする飲料用容器
【考案の詳細な説明】
【技術分野】
【０００１】
本考案は、粉末スポーツドリンク、健康飲料等用の計量器付き飲料用容器に関する。
【背景技術】
【０００２】
近年、健康増進のためにウォーキング、ジョギング、サイクリングなどが行われている。例えばマラソン等の運動を行う場合の水分摂取量の目安量は、まず運動開始の２０分〜４０分前に２5０〜5００ミリリットルの水分を取り、そして運動中は１5分おきにコツプ一杯分、つまり一時間に4回、合計一時間当たり5００〜１０００ミリリットルの水分補給が良いと言われている。この場合には、普通の水では不十分で、必要な成分を含むスポーツドリンクが良い。
また地球温暖化に伴いニュース等でよく見聞きするようになった熱中症予防にも水分補給が重要である。この場合には０・１〜０・２パーセントの食塩と４〜８パーセントの糖質を含んだ飲料が良い。自分で調整するには１リットルの水、ティスプーン半分の食塩(２グラム)と角砂糖を好みに応じて数個溶かして作ることもできる。
【０００３】
市販のペットボトルのスポーツ飲料は一般に濃度が濃く、大量に飲んだ場合に糖分を取りすぎる。また市販のペットボトルを飲料用水筒に移し替えて持ち運ぶ場合は、残ると捨てる方がよく、長時間置くと腐る心配がある。
粉末健康飲料の場合は、空の飲料用容器と粉末飲料と水とを持ち運べば、飲みたい時に、必要な量だけを適正な濃度、好みの味に調整して、健康飲料水を飲むことができる。一回ごとに飲み切ってしまい残さないことによって、飲料用容器は清潔に保てる。
また、人里離れた山の中で自動販売機が無くても、湧き水が有れば、粉末健康飲料を飲料用容器に入れて、適正な濃度、好みの味の健康飲料水を調整し飲むことができる。
【０００４】
一般に、健康飲料水は粉末健康飲料をスプーン等で計量し、カップに入れ、水を入れ調整する。そしてサイクリング等に持って行く時は前記の様に調整した健康飲料水を水筒に入れて持ち運び、必要な時に飲む。もっと簡単な操作で短時間に調整できる飲料用容器が有れば重宝される。また、最適な濃度の健康飲料水が得られ、好みの味に調整できる飲料用容器が必要である。
そして、従来、健康飲料水等を長時間置いておくと、容器にカビが生えることがあり、洗う場合にブラシが隅々に届かず、清潔に保てない欠点があつた。
【０００５】
先行技術として、計量ロートを上部に備えた容器が発明されている。すなわち上部ロートに粉末等の材料を計量し、下部の水の入った容器に落とす、その後、ロート部分を取り去り、容器に蓋をして、振ることにより混合し抹茶ドリンク等を調整する。しかし、いちいちロート部分を外し容器に蓋をして混合を行う煩わしさの問題点がある(特許文献1)。
【０００６】
また、缶コーヒー等を飲む直前に、缶容器内に収納した小容器に入ったミルクなどの添加物を、小容器を破壊して加え、風味の良いコーヒー等を得ることができる発明がされている(特許文献２)。ミルクなどの添加物は予め入れた量しかコーヒー等に加えることが出来ず、量の調整が出来ない。もちろん添加物の種類も限定される。飲料缶へ小容器を設置し、小容器を破って添加物を入れるので使い捨てである。
【０００７】
そして、飲み口付き飲料調製用器具及び飲料容器が発明されている(特許文献3)。
上部の第１室に粉末状乳剤を入れ、下部の第２室に水を入れ、飲み口付き飲料調製用器具は、第１室の天面及び底面、第２室の天面を突き通し、第１室と第２室を連通する開口部があり、振って液状乳剤を調整し、上部の飲み口から飲む。
この場合は、第１室の底面、第２室の天面を突き刺し貫通し乳児用飲料を調整するので、毎回底面、天面を張り替える必要がある。
【０００８】
また、凹状頂部を備えた飲料容器が発明されている(特許文献４)。
円筒形本体部分は第１の飲料アルコール等を含み、凹状頂部に第２容器に氷、ソーダ等を含む。第２容器の底は開閉可能である。
この場合には、予め上部の第２容器には所定量の添加剤等を入れ、第１の本体容器には所定量の飲料等を用意する必要がある。
【先行技術文献】
【特許文献】
【０００９】
【特許文献１】特開２００３―11２７６０
【特許文献２】特開２００２―３７０７4６
【特許文献３】特開２０１７―０４６９０８
【特許文献４】特表２０１７―５０５７３６
【考案の概要】
【考案が解決しようとする課題】
【００１０】
一般に、健康飲料水は粉末健康飲料をスプーン等で計量し、カップに入れ、水を入れ調整する。そしてサイクリング等に持って行く時は前記の様に調整した健康飲料水を水筒に入れて持ち運び、必要な時に飲む。もっと簡単な操作で短時間に調整できる飲料用容器が必要である。また、最適な濃度の健康飲料水が得られ、好みの味に調整できる、廉価で軽く操作が簡単である飲料用容器が求められている。
そして、従来、健康飲料水等を長時間置いておくと、容器にカビが生えることがあり、洗う場合にブラシが隅々に届かず、清潔に保てない欠点があつた。このためにブラシで洗い易く、清潔に保つためにシンプルな構造の飲料用容器が求められる。
特許文献1の方法は、いちいちロート部分を外し容器に蓋をして混合を行う煩わしさの問題点がある。
特許文献２の場合は、ミルクなどの添加物は予め入れた量しかコーヒーに加えることが出来ず、量の調整が出来ない。もちろん添加物の種類も限定される。飲料缶へ小容器を設置し、小容器を破って添加物を入れるので使い捨てである問題点がある。
特許文献3は、第１室の底面、第２室の天面を突き刺し貫通し乳児用飲料を調整するので、毎回底面、天面を張り替える必要がある問題点がある。
特許文献４の場合には、予め上部の第２容器には所定量添加剤等を入れ、第１の本体容器には所定量の飲料等を用意する必要がある点が問題である。
【００１１】
本考案は従来から問題であった点を解決するためになされたものである。すなわち、もっと簡単な操作で短時間に容易に健康飲料水を調整できる廉価で、軽量な飲料用容器が必要である。また、最適な濃度の健康飲料水が得られ、好みの味に調整できる飲料用容器が求められる。
そして、従来、健康飲料等を長時間置いておくと、容器にカビが生えることがあり、洗う場合にブラシが隅々に届かず、清潔に保てない欠点があつた。このことからシンブルな構造の飲料用容器が必要である。
【課題を解決するための手段】
【００１２】
上記課題を解決し、目的を達するために鋭意工夫し以下の飲料用容器を考案した。
蓋の内側に下方に開口した円筒状計量器を備えた広口の蓋と広口の円筒状本体容器とからなる飲料用容器である。蓋の内側に着いた計量器に粉末健康飲料を所定量入れ、広口の円筒状本体容器に空ける。そして所定量の水を加え、広口の蓋を閉め、容器を振り混合溶解させて健康飲料水を調整する。この時、粉末健康飲料等は計量器に望む量入れる事が出来、一回で不足の場合は、二回、三回計量器に入れ、本体容器に加えることができる。
計量器着き広口蓋は一体成型により製作でき、また接着により、あるいは溶接により製作できる。
広口本体容器と広口の蓋は嵌め込み式あるいはねじ込み式に密閉ができる。
【００１３】
そして、蓋の内側に下方に開口した円筒状計量器を備えた広口の蓋と広口の円筒状本体容器とからなる飲料用容器において、上下に開口し広口の蓋を貫通し蓋上部の開口部に蓋を有する円筒状飲み口を本体容器の蓋の外側に備えた飲料用容器である。
粉末健康飲料の最適な量を計量器で量り、本体容器に投入し、水を加えて最適な濃度の健康飲料水を得る。サイクリング中などで飲み口の蓋をはずし、飲むことができる。
【００１４】
また、蓋の内側に下方に開口した円筒状計量器を備えた広口の蓋と広口の円筒状本体容器とからなる飲料用容器において、広口の蓋を貫通し片方の端が本体容器の底に届き、他方の片方の端が蓋の上部に係止する中空チューブである飲み口を備えた飲料用容器である。
粉末健康飲料の最適な量を計量器で量り、本体容器に投入し、水を加えて最適な濃度の健康飲料水を得る。ウォーキング中などで飲み口のチューブを蓋から外し、飲むことができる。
【００１５】
本飲料容器の材質は、プラスチック製、アルミニウム、ステンレス、スチール等の金属製、ガラス製等がある。
広口の円筒状本体容器の蓋、円筒状飲み口の蓋は軟質プラスチックで製作され、嵌め込み式のものが使用し易い。
また中空チューブの飲み口も軟質プラスチック製が使用し易い。
【００１６】
本考案に係る飲料用容器は、蓋の内側に下方に開口した円筒状計量器を備えた広口の蓋と広口の円筒状本体容器とからなる飲料用容器である。蓋の内側に着いた計量器に粉末健康飲料を所定量入れ、広口の円筒状本体容器に空ける。そして所定量の水を加え、広口の蓋を閉め、容器を振り混合溶解させて健康飲料水を調整する。この時、粉末健康飲料等は計量器に望む量入れる事が出来、一回で不足の場合は、二回、三回計量器に入れ、本体容器に加えることができる。すなわち最適濃度、好みの味の健康飲料水が調整できる。
【００１７】
蓋の内側に下方に開口した円筒状計量器を備えた広口の蓋と広口の円筒状本体容器とからなる飲料用容器は、シンプルな構造であり、使用後はブラシで洗い清潔に保てる。
そして、蓋の内側に下方に開口した円筒状計量器を備えた広口の蓋と広口の円筒状本体容器とからなる飲料用容器において、上下に開口し広口の蓋を貫通し蓋上部の開口部に蓋を有する円筒状飲み口を本体容器の蓋の外側に備えた飲料用容器では、上下に開口し広口の蓋を貫通し蓋上部の開口部に蓋を有する円筒状飲み口は飲み口の蓋を外しブラシ等で洗うことができる。
また、蓋の内側に下方に開口した円筒状計量器を備えた広口の蓋と広口の円筒状本体容器とからなる飲料用容器において、広口の蓋を貫通し片方の端が本体容器の底に届き、他方の片方の端が蓋の上部に係止する中空チューブである飲み口を備えた飲料用容器でも中空チューブである飲み口は取り外し可能であり、すなわち広口の蓋から抜き取り取り外し綺麗に洗うことができる。従って、使用後はブラシ等で洗浄し、清潔に保つことができる。
【００１８】
蓋の内側に下方に開口した円筒状計量器を備えた広口の蓋と広口の円筒状本体容器とからなる飲料用容器、円筒状飲み口を有する飲料用容器、中空チューブである飲み口を有する飲料用容器のいずれも廉価で、軽量で、飲料水調整の操作が簡単で易しい。
【考案の効果】
【００１９】
本考案の計量器を広口の蓋の内側に備えた広口の飲料用容器を用いれば、適量の粉末健康飲料等を該計量器で計量し、本体容器に投入し、適量の水を加え、要求される濃度の健康飲料水等あるいは自分の好みの味の健康飲料水等を得ることが出来る。本考案の飲料用容器は廉価で、軽量で、健康飲料水等調整の操作が簡単で易しい
また、構造がシンプルであるので、ブラジ等で洗い易く、清潔に保つことができる。
【図面の簡単な説明】
【００２０】
【図１】蓋の内側に計量器を備えた飲料用容器の概略斜視図である。
【図２】蓋の内側に計量器、蓋の外側に円筒状飲み口を備えた飲料用容器の概略斜視図である。
【図３】蓋の内側に計量器、蓋の外側に中空チューブの飲み口を備えた飲料用容器概略斜視図である。
【考案を実施するための形態】
【００２１】
本考案の実施例を以下に示す。本考案はこれらの実施例に限定されるものではない。
【実施例１】
【００２２】
図1は、本考案飲料用容器の一実施例の蓋の内側に計量器を備えた飲料用容器の概略斜視図である。
蓋の内側に下方に開口した円筒状計量器２を備えた広口の蓋１と広口の円筒状本体容器６とからなる飲料用容器である。蓋１の内側に着いた計量器２に粉末健康飲料を所定量入れ、広口の円筒状本体容器６に空ける。そして所定量の水を加え、広口の蓋１を閉め、容器を振り混合溶解させて健康飲料水を調整する。あるいは蓋１の内側に着いた計量器２に粉末健康飲料を所定量入れ、所定量の水を加えた広口の円筒状本体容器６に空け混合溶解させる。
この時、粉末健康飲料等は計量器２に望む量入れる事が出来、また不足の場合は二回、三回計量器２に入れ、本体容器６に加えることができる。
また、計量器２で数種類の計量を行い、順次本体容器６に空けて調整することもでき、砂糖、ミルクの入ったコーヒー等も調整できる。
計量器２着き広口蓋１は一体成型により製作でき、また接着により、あるいは溶接により製作できる。
本体容器６と蓋1は嵌め込み式あるいはねじ込み式に密閉ができる。
そして調整された健康飲料水等を飲む時は、広口の蓋１を外し、広口の円筒状本体容器６の上部の容器の縁に直に口を付けて飲むことができる。
【実施例２】
【００２３】
図２は、本考案飲料用容器のもう一つの実施例で、蓋の内側に下方に開口した円筒状計量器２を備えた広口の蓋1と広口の円筒状本体容器６とからなる飲料用容器において、上下に開口し広口の蓋1を貫通し蓋上部の開口部に蓋４を有する円筒状飲み口３を本体容器の蓋1の外側に備えた飲料用容器の概略斜視図である。
粉末健康飲料の最適な量を計量器２で量り、本体容器６に投入し、水を加えて最適な濃度の健康飲料水を得る。サイクリング中などで飲み口の蓋４をはずし、円筒状飲み口３から飲むことができる。
【実施例３】
【００２４】
図3は、蓋の内側に下方に開口した円筒状計量器２を備えた広口の蓋1と広口の円筒状本体容器６とからなる飲料用容器において、広口の蓋１を貫通し片方の端が本体容器６の底に届き、他方の片方の端が蓋１の上部に係止する中空チューブである飲み口５を備えた飲料用容器の概略斜視図である。
粉末健康飲料の最適な量を計量器２で量り、本体容器６に投入し、水を加えて最適な濃度の健康飲料水を得る。または粉末健康飲料の最適な量を計量器２で量り、水の入った本体容器６に投入し最適な濃度の健康飲料水を得る。
ウォーキング中などで飲み口５のチューブを蓋１から外し、飲むことができる。
【００２５】
以上、飲料用容器の蓋１、計量器２、円筒状飲み口3、円筒状飲み口の蓋４、中空チューブ状飲み口５、広口の飲料用容器本体６を備える飲料用容器であるが、各部に少しずつ改良を加えて使い易くすることができる。
【産業上の利用可能性】
【００２６】
上述したように、この考案に係る飲料用容器は廉価で、軽く、操作が簡単であり、容易に最適な濃度の健康飲料水等を調整でき、また好みの味の健康飲料水等を調整できる。そしてシンプルな構造で、使用後はブラシ等で洗い易く、清潔に保てる。
【符号の説明】
【００２７】
１  飲料用容器の蓋
２  計量器
３  円筒状飲み口
４  円筒状飲み口の蓋
５  中空チューブ状飲み口
６  広口の飲料用容器本体
【図１】
0003235149.tif 000003
【図２】
0003235149.tif 000004
【図３】
0003235149.tif 000005